(57)【要約】【課題】位置探索機能や音声通信機能などの仕組を備え、自動２輪車についての盗難防止を図る通信防犯システムを提供すること。【解決手段】ＧＳＭ／ＧＰＳモデルセット及び音声通信インタフェースなどの仕組を備え、一般の防犯道具にあるアラーム、電源切断及び各項目のリモートオン／オフ機能の他、更に触発防犯の状態の下で、衛星定置座標伝達追跡／誘導、電話自動レポート、盗聴及び泥棒通話機能を提供し、完璧なバイク防犯システムを作り出す。【選択図】　　図１
2004078835.tif 000002
【特許請求の範囲】
【請求項１】
電機回路コントロール器と、システム回路コントロール器及びＧＳＭコントロール器の、各コントロール器間でシステム伝送インタフェースによって連結しているシステム本体と；
バイクの電機回路状態、電源状態、スタンド及び電気スイッチ、収納箱などの状態を探知し、前述の電機回路コントロール器に送る状態探知インタフェース・・と；
前記電機回路コントロール器の駆動信号を受信し、バイクの各コントロール信号の通信切断を決定する電機駆動インタフェースと；
コントロール命令を前述のシステム回路のコントロール器にリモート手段で送り、システム状態設定を実行するとともに、リモートで車を探す及びＳＯＳを発するＲＦリモコンと；
前記ＧＳＭコントロール器の信号を受け取り、コントロール命令、インターネット状態及び音声通信を実行するＧＳＭモデルセットと；
前記ＧＳＭコントロール器とダブルウェイの通信をすることができ、予め録音した音声をセレクトしてＧＳＭモデルセットで送り出すことができる音声通信インタフェースと；
からなる行動音声通信タイプのバイク通信防犯システム。
【請求項２】
更にＧＳＭモデルセットを含み、バイクの衛星定置資料を送り出す装置であり、システム防犯及び誘導の機能を具えていることを特徴とする請求項１記載のバイク通信防犯システム。
【請求項３】
更に予備搭載電源を含み、予備電源の提供及び主電源の補充をすることを特徴とする請求項１または２記載のバイク通信防犯システム。
【請求項４】
更に通信ヘルメットと連結し、テブラ通話で通信を可能にすることを特徴とする請求項１または２記載のバイク通信防犯システム。
【請求項５】
リモコンを通じてコールバック電話の設定をすることができ、さらに不通の時の順番で番号をダイヤルし、通話開始後音声のアラーム或いは提示を提供できるように、多くのコールバック電話を設定することができることを特徴とする請求項１または２記載のバイク通信防犯システム。
【請求項６】
ダイヤルした電話をＧＳＭモデルセットにて設定した電話番号の所に送り、リモートコントロールにより電源切断、バイクエンジンのオン／オフ、盗聴、設定／解除防犯などを行うことができることを特徴とする請求項１または２記載のバイク通信防犯システム。
【請求項７】
結合するＧＳＭモデルセット及び音声通信インタフェースでは、更に未設定の防犯ダイヤル電話音声提示機能及び電力異常時の自主的電話ダイヤルをする提示、及びキーの抜取忘れ防止の提示の機能があることを特徴とする請求項１または２記載のバイク通信防犯システム。
【発明の詳細な説明】
【０００１】
【発明の属する技術分野】
本発明はバイク通信防犯システムに関し、特に、ＧＳＭ／ＧＰＳ機能及び音声通信インタフェースなどの仕組を備え、自動２輪車についての盗難防止を図る通信防犯システムを提供するものである。
【０００２】
このバイク通信防犯システムは、ＧＳＭ／ＧＰＳモデルセット及び音声通信インタフェースなどの仕組を備え、一般の防犯道具にあるアラーム、電源切断及び各項目のリモートオン／オフ機能の他、更に触発防犯の状態の下で、衛星定置座標伝達追跡／誘導、電話自動レポート、盗聴及び泥棒通話機能を提供し、完璧なバイク防犯システムを作り出している。
【０００３】
【従来の技術】
今日一般の防犯器の設計は、殆ど四輪の車専用に作られている。ドア、エンジンの蓋、トランクがこじられるのを防御するとか、振動及び電気スイッチが破壊される等の時は警報で阻止したり、自動で電気を切断などの機能がある。
【０００４】
【発明が解決しようとする課題】
しかし、バイクはドアという周到な感知仕組が欠けている為、バイクの防犯機能では、電気スイッチと振動の防犯感知形態のみ作られていた。これは簡易型の防犯仕組であり、比較的進歩した設計ではない。特に現在バイクの機能は日に日に複雑化し、値段も高くなってきている為、消費者のニーズに合致するには、明らかに周到な防犯機能が必需品となってきている。
【０００５】
本発明はこのような理念の下でなされたものであり、そのメインの目的は、バイク状態探知インタフェース、バイク電機駆動インタフェース及びＲＦリモコン部品など基本的な仕組の他、更に電話自動レポート及び盗聴のＧＳＭモデルセット、ＧＳＭリモコン、ＧＰＳモデルセット及び音声通信インタフェースなどの仕組があるバイク通信防犯システムを提供することである。自動警報電話をダイヤル、危機盗聴、ＳＯＳ、座標定置／誘導、自動ダイヤルＧＳＭ自動通信機能を具えており、ベストの防犯効果がある。
【０００６】
本発明の第２の目的は、予備電源が搭載されており、予備電力を用いて、防犯機能の効力が無くなるのを防止するだけでなく、電力不足状態の時、自動的に電話をダイヤルし、持ち主に連絡をするバイク通信防犯システムを提供することである。前述の機能に音声機能を加えれば、駐車時キーを抜くよう音声を用いて提示する、及び関連のある音声でアラームを発する機能があり、全体の機能がもっと周到なものになる。
【０００７】
【課題を解決するための手段】
上記目的を達成するため、本発明は、バイク通信防犯システムを、電機回路コントロール器などの各種コントロール手段をシステム伝送インタフェースによって連結しているシステム本体と、バイクの電機回路状態、電源状態、スタンド及び電気スイッチ、収納箱などの状態を探知し、電機回路コントロール器に送る状態探知インタフェースと、前記電機回路コントロール器の駆動信号を受信し、バイクの各コントロール信号の通信切断を決定する電機駆動インタフェースと、コントロール命令を前述のシステム回路のコントロール器にリモート手段で送り、システム状態設定を実行するとともに、リモートで車を探しまたＳＯＳを発するＲＦリモコンと、前記ＧＳＭコントロール器の信号を受け取り、コントロール命令、インターネット状態及び音声通信を実行するＧＳＭモデルセットと、前記ＧＳＭコントロール器とダブルウェイの通信をすることができ、予め録音した音声をセレクトしてＧＳＭモデルセットで送り出すことができる音声通信インタフェースとから構成したことを要旨とする。
【０００８】
かかる構成により、本発明では、一般の防犯道具にあるアラーム、電源切断及び各項目のリモートオン／オフ機能の他、更に触発防犯の状態の下で、衛星定置座標伝達追跡／誘導、電話自動レポート、盗聴及び泥棒通話機能を提供することができ、ベストの防犯効果を上げることが可能な完璧なバイク防犯システムを作り出している。
【０００９】
【発明の実施の形態】
以下は本発明の実施の形態を添付の図面を参照して詳細に説明する。図１は、本発明の一実施の形態に係るバイク通信防犯システムの構成を示すブロック図である。この実施の形態に係るバイク通信防犯システムは、電機回路コントロール器（１１）と、システム回路リモコン（１２）及びＧＳＭリモコン（１３）と、ＧＳＭリモコンによって組み合わされたシステム本体（１０）及び周辺位置にあるバイクの状態を探知する車両状態探知インタフェース（２１）と、バイク電機駆動インタフェース（２２）と、ＲＦリモコン（２３）と、予備搭載電源（２４）と、ＧＳＭモデルセット（２５）と、ＧＰＳモデルセット（２７）と、音声通信インタフェース（２６）等の機能部材によって構成されている。その中でも図面の中段及び右部分に位置する仕組は、一般的なものである。
【００１０】
車両状態探知インタフェース（２１）を介してバイクの各探知ポイントの状態信号を探知或いは監視し、電機回路リモコン（１１）を通じて、特有なシステム協定を持って、インタフェースをシステム回路リモコン（１２）の中に送り込む。システム回路リモコン（１２）により状態を読み取り、電機駆動インタフェース（２２）を駆使して、相応する回路の切断処理を行い、防犯アラーム、電源切断或いはその他の機能を具えている。又、ＲＦリモコン（２３）はリモート方式により、必要な命令を送り込むためのものである。例えば防犯をオン／オフしたり、パスワードを解除したり、コールバック電話番号設定したりする。予備搭載電源（２４）はシステム全体の予備電力であり、システムが正常に運転するのを確保、或いは主電源が不足の時、電力の補充を行う。
【００１１】
本発明と一般のバイク防犯器の異なる点は：ＧＳＭリモコン（１３）、ＧＳＭモデルセット（２５）、ＧＰＳモデルセット（２７）及び音声通信インタフェース（２６）等の仕組である。これらの仕組は防犯道具の触発されたモデルの下で、ＧＳＭモデルセット（２５）を通じて、自動的に携帯電話にダイヤルし、同時に連帯的に衛星定置座標資料を一緒に伝送する（ＧＰＳモデルセット（２７）を通じて）。自動電話をダイヤルし、持ち主に通知するのと同時にモニターリングセンターを通じてバイクの所在位置及び動向を追跡する。また、泥棒の各動作を盗聴する機能があり、ＧＰＳモデルセット（２７）とモニターリングセンターの電子地図を合わせれば、更に道路誘導及び道路／地物をリサーチするのに用いられる。音声通信インタフェース（２６）は警告音声或いは例えば危機音声、阻止音声或いは通報及びＳＯＳ音声を予めセットされており、異なる状況の下で適切な音声を出し、行動通信防犯システムとなる。
【００１２】
システム全体の探知及びコントロールの方法は、図２にて示す通りである。そのシステムの本体（１０）はシステム探知ポイント及び各感知器（例えば：振動感知器）の信号を受信する為のものである。その中システム探知ポイントはバイク回路状態、電源状態及び電気スイッチ触発信号及びバイクサイドスタンド或いはスタンドの信号などである。それによりシステム本体（１０）より全体的にコントロールを行う。ＲＦリモコン（２３）はシステム状態設定、リモート車探し、リモート認証或いは関連するコントロール機能に用いられる。システム本体（１０）の自動電話ダイヤル機能は、図面左側のＧＳＭモデルセット（２５）にてコントロールされており、ナンバーディスプレイ機能もある。ＧＰＳモデルセット（２７）はバイク自身の衛星定置座標資料を受信し、システム本体（１０）がそれを読み取ってから、前述のＧＳＭモデルセット（２５）を通じて、定置座標資料を伝送する。これは定置追跡機能及び誘導の際に用いられる。前述の仕組で本発明の全体のシステムを形成している。
【００１３】
本発明の概略操作モデルは図３にて示す通りである。一般モデル、防犯モデル、防犯触発モデル、サービスモデル及び待ちモデルなどに分けられる。その中で、一般モデルでは、バイクが使用状態を表示するには、このモデルではリモコンを通じて、防犯モデル或いはサービスモデルに入ることができる；防犯モデルをオンにした状態では、各項目の探知感知動作を実行することができ、如何なる異常がある場合、直ちに防犯触発モデルに入る。この触発モデルの中で、方向指示灯或いはクラクションのアラーム及び回路を切断する他、自動的にバイクの持ち主に電話をして通知する（　ＧＳＭモデルセットを通じて、車輌情況及び位置をレポートする）及び定時に持続的にレポートを出して、持ち主に車の情況を理解させ、及びバイクの衛星定置座標資料を伝送し、定置追跡がしやすくなる。サービスモデルでは、バイクの各項目の設定作業を行い、待ちモデルでは関連の自動レポート作業を抑制する（例えば：バイクが牽引される・・・等）。これらはリモコンを通じてシステムの一般モデルに入れられることもできる。
【００１４】
本発明のセットアップモデルは図４にて示す通りである。バイクのシート（３０）の下にある収納箱（３１）外の適切な位置に電機コントロールボックス（３２）を隠して設置する。この電機コントロールボックス（３２）は主にシステム本体（１０）を設置している。収納箱（３１）内の適切な位置にバイク通信防犯装置（３３）を設置し、主に探知及び感知器などの装置が含まれている。これらはセットアップモデルを介して、バイクの通信防犯機能に達する。
【００１５】
上述の発明実施を通じて、下記の各機能を提供することができる：
１．　自らコールバック電話を設定：リモコンを利用してコールバック電話を設定する。何組ものコールバック電話を設定し、通話後音声による提示及び警告機能を使用することができる。
２．　音声危機機能：防犯触発状態の下に置いて、音声を出すことにより危機機能の役割を果す。
３．　アラーム音声コールバック：防犯、牽引防止の音声警告。
４．　自動電源切断及びダイヤルイン電話リモート電源切断：防犯触発の下で、自動的にバイクの電源及び点火回路を切断する。或いはバイク内に置いてあるＧＳＭモデルセットに電話し、リモートコントロールで自動電源切断に達する。
５．　自動的に起動していない防犯機能を提示：持ち主が防犯モデルを起動し忘れた場合、バイクは一定の時間内（例えば：５分間）自動的に持ち主に電話をし、防犯機能を起動するか否かを訊ねる。システムは自ら自動的に各探知ポイントの状態を探知し、音声でレポートをすることができる。
６．　電話リモート機能を用いて防犯機能解除、及びエンジンをリモートでオン／オフをすることができる。
７．　危機盗聴機能：持ち主が異常情況の通報を受けた時、持ち主はバイクに電話をかけ、泥棒に危機阻止音声を発する、或いは盗聴を行うことができる。
８．　電源異常の自動レポート：電源が破壊される、或いは電力不足の場合は、自動的に持ち主に電話をダイヤルする。
９．　駐車キー抜き取る提示：バイクのエンジンを切ってもキーを抜いていない場合は、音声で提示をする。
１０．　ＳＯＳ救急機能：緊急事件がおきた場合は、リモコンのＳＯＳ機能ボタンを通じて、自動的に電話をダイヤルして助けを求めることができ、且つ相手と通話することができる。
１１．　通信ヘルメットと連結：連結してテブラ通話を用いて無線通信を行うことができる。
１２．　定置座標コールバック：システムは誘導及び防犯定置追跡機能を具えている。
【００１６】
【発明の効果】
上述の内容をまとめると、本発明はＧＳＭモデルセット、ＧＰＳモデルセット及び音声通信インタフェースを結合したバイク防犯システムである。防犯触発状態の下で、自動的に持ち主に電話をかけ、及び関連のある盗聴、阻止音声及び危機音声、ＳＯＳ・・・等多くの周到な設計を持ち合わせており、バイク専用の防犯システムを作り出している；以上の添付図は本発明の具体的な実施形態を説明しているだけであり、業者は本発明の精神を違反していない範囲であれば、全ての容易に実施できるように各種変更を行っても良い。均等効果利益の下でも変更は、本発明の範疇内に属されるべきである；よって、本発明は明らかに新鋭性及び進歩性を兼ね備えており、特許されるべきものである。
【図面の簡単な説明】
【図１】本発明の一実施の形態に係るバイク通信防犯システムの．ステムブロック図
【図２】前記実施の形態に係るバイク通信防犯システムのシステム探知略図
【図３】前記実施の形態に係るバイク通信防犯システムの操作モデルプロセス略図
【図４】前記実施の形態に係るバイク通信防犯システムの取り付けモデル図
【符号の説明】
１０　システム本体
１１　電機回路コントロール器
１２　システム回路コントロール器
１３　ＧＳＭコントロール器
２１　状態探知インタフェース
２２　電機駆動インタフェース
２３　ＲＦリモコン
２４　予備搭載電源
２５　ＧＳＭモデルセット
２６　音声通信インタフェース
２７　ＧＰＳモデルセット
３０　バイクシート
３１　収納箱
３２　電機コントロールボックス
３３　バイク通信防犯装置
【図１】
2004078835.tif 000003
【図２】
2004078835.tif 000004
【図３】
2004078835.tif 000005
【図４】
2004078835.tif 000006